(57)【要約】【課題】閉扉時にはドアの良好な復元力を維持しつつ、より限られた力によってドアを開扉することを可能とする家具用ヒンジを提供する。【解決手段】家具用ヒンジ１は、第一イコライザー２および第二イコライザー３と、ボックス状部材４と、ヒンジアーム６と、スプリング１２とを備える。ここで、家具用ヒンジ１は、第一イコライザー２に設けられた制御カム１５と、スプリング１２の第二スプリングアーム１４との間に接触面を有し、当該接触面が、ヒンジ１の回動の間に、制御カム１５の輪郭、および、第二スプリングアーム１４の輪郭に沿って移動する。【選択図】図２
2011514459.tif 000002
【特許請求の範囲】
【請求項１】
家具のドアに固定するように適応されたボックス状部材と、前記家具の固定要素に直接的または間接的に固定するように適応されたヒンジアームとを、互いに協働して連結する第一イコライザーおよび第二イコライザーを備え、
前記第一イコライザーは、第一ピンを介して前記ボックス状部材に枢支され、且つ、前記第一ピンと平行な第二ピンを介して前記ヒンジアームに枢支されており、
前記第二イコライザーは、前記第一ピンと平行な第三ピンを介して前記ボックス状部材に枢支され、且つ、前記第一ピンと平行な第四ピンを介して前記ヒンジアームに枢支されており、
ヒンジが回動する間における前記ドアの復帰のために、スプリングがさらに設けられ、
前記スプリングは、前記ヒンジアームに設けられたピンの周りに巻かれており、前記ヒンジアームに隣接する第一スプリングアームと、
前記第一イコライザーに設けられた制御カムに隣接する第二スプリングアームと、を有する家具用ヒンジであって、
前記制御カムと前記第二スプリングアームとの間に接触面を有し、当該接触面が、前記ヒンジの回動の間に、前記制御カムの輪郭、および、前記第二スプリングアームの輪郭に沿って移動することを特徴とする、家具用ヒンジ。
【請求項２】
前記制御カムは、前記第二ピンから離隔した位置に配置された曲率中心を持つ曲線状の輪郭を有することを特徴とする、請求項１に記載の家具用ヒンジ。
【請求項３】
前記曲線状の輪郭は、円弧であり、一定の曲率半径を有することを特徴とする、請求項１または２に記載の家具用ヒンジ。
【請求項４】
前記接触面は、前記制御カムの輪郭と、前記第二スプリングアームの輪郭の直線部分との間に形成されることを特徴とする、請求項１〜３のいずれかに記載の家具用ヒンジ。
【請求項５】
前記制御カムは、前記第二ピンに枢支された前記第一イコライザーの端部近辺に配置されることを特徴とする、請求項１〜４のいずれかに記載の家具用ヒンジ。
【請求項６】
前記制御カムは、前記第一イコライザーに一体的に設けられていることを特徴とする、請求項１〜５のいずれかに記載の家具用ヒンジ。
【請求項７】
前記制御カムは、前記第一イコライザーに連結される独立した部材として構成されることを特徴とする、請求項１〜５のいずれかに記載の家具用ヒンジ。
【請求項８】
減速のための装置をさらに備える、請求項１〜７のいずれかに記載の家具用ヒンジ。
【請求項９】
前記第二スプリングアームは、開扉状態において傾きをほとんど持たず、且つ、閉扉状態において最小限の傾きを持つことを特徴とする、請求項１〜８のいずれかに記載の家具用ヒンジ。
【請求項１０】
説明され、クレームされた家具用ヒンジ。
【発明の詳細な説明】
【技術分野】
【０００１】
本発明は、家具の固定要素、および、家具のドア上に取り付けられるように適応されたボックス状要素に、直接的または間接的に取り付けられるように適応されたヒンジアームと、ボックス状要素およびアームを互いに協働して連結し、それにより関節を有する四角形状を画定する第一および第二イコライザーとを備える家具用ヒンジに関する。
【背景技術】
【０００２】
上記のようなヒンジは、通常、閉鎖状態、および／または、開放状態へと復帰するドアの復元力を生じさせるための様々な種類のスプリングを有している。
【０００３】
現在一般的な実施形態においては、復元スプリングは、捩り型のスプリングであって、第二イコライザーのヒンジピンの周囲に巻かれ、ヒンジアームへ向けて、ヒンジアームに隣接した第一アーム、および第一イコライザーに設けられた制御カムに隣接した第二アームを有している。
【０００４】
ドアに復元力を負荷する上記したタイプのヒンジは、通常、角度変位する間に、ドアを開扉するための相当な仕事を要する。このような変位は、極端に限られたものであって、閉扉位置から始動する。
【０００５】
これにより、第二スプリングアームが、ほとんどのヒンジの開扉動作の間において、大きく反ってしまうこととなるため、スプリングに過度の機械的なストレスを与えることに繋がる。また、ドアの最大開扉位置に達する前のヒンジの最後の弧状の開扉の間に、第二スプリングアームは、反対側へ顕著に反ることになり得る。
【０００６】
これらの全ては、バネの機械疲労によって引き起こされる集中的なストレスを生じさせ、構造の完全な状態を短期間に脅かすこととなる。
【発明の概要】
【発明が解決しようとする課題】
【０００７】
それ故に、本発明の技術的な課題は、公知技術に見られる技術的な欠点を排除することが可能な家具用ヒンジを提供することである。
【０００８】
この技術的課題の範囲において、本発明の目的は、閉扉時にはドアの良好な復元力を維持しつつ、より限られた力によってドアを開扉することを可能とする家具用ヒンジを提供することである。
【０００９】
本発明の他の目的は、機械的に特に耐久性があり、且つ、復元スプリングに対して掛かる機械疲労ストレスを最大限に抑えることが可能な家具用ヒンジを提供することである。
【００１０】
さらに、本発明の目的は、強固、長寿命、正確な動作、且つ、低価格な家具用ヒンジを提供することである。
【課題を解決するための手段】
【００１１】
本発明によれば、これらの目的およびその他の目的と同様に、技術課題は、本願特許請求の範囲の請求項１に記載の家具用ヒンジによって達成される。
【００１２】
また、本発明による他の特徴は、本願特許請求の範囲の従属請求項において定義される。
【００１３】
本発明の更なる特徴および利点は、添付された図面に示された結果による家具用ヒンジの好ましい実施形態に関する説明から、より明確となるであろう。しかしながら、この実施形態に限定されるものではない。
【図面の簡単な説明】
【００１４】
【図１】公知技術によるヒンジの第一イコライザーの側面図を示す。
【図２】本発明の第一の好ましい実施形態に係るヒンジの縦断面図を示し、ドアの開扉位置、および閉扉位置における第一イコライザーを図示している。
【図３】図２に示すヒンジに備えられた第一イコライザーの側面図を示す。
【図４】本発明によるヒンジに備えられた第二の好ましい実施形態に係る第一イコライザーの縦断面図を部分的に示す。
【図５】参照位置、および、参照位置と閉扉位置との間の中間位置において、ドアの開扉位置および閉扉位置における第一イコライザーを備える図２に示すヒンジの一部断面図を示す。
【図６】図２に示す本発明に係るヒンジ、および、図３に示す第一イコライザー代えて図１に示す（公知技術より得られた）第一イコライザーを備えるヒンジの双方に関して、開扉角度に依るドアの開扉力を示すグラフである。
【発明を実施するための形態】
【００１５】
以下、本発明の実施の形態を図面に基づき詳細に説明する。上記図面を参照して、図示された家具用ヒンジは、参照番号１として示されている。ヒンジ１は、家具のドア５に固定するように適応されたボックス状部材４と、家具の固定要素７に直接的または間接的に固定するように適応されたヒンジアーム６とを、互いに協働して連結する第一イコライザー２および第二イコライザー３を備える。
【００１６】
第一イコライザー２は、第一ピン８を介してボックス状部材４に枢支され、且つ、第一ピン８と平行な第二ピン９を介してヒンジアーム６に枢支されている。
【００１７】
第二イコライザー３は、第一ピン８と平行な第三ピン１０を介してボックス状部材４に枢支され、且つ、第一ピン８と平行な第四ピン１１を介してヒンジアーム６に枢支されている。
【００１８】
ピン８〜１１を介してイコライザー２，３によって動作可能に連結されたボックス状部材４およびヒンジアーム６は、関節を有する四角形状を形成する。
【００１９】
捩りスプリング１２は、ヒンジ１が回動する間におけるドア５の復帰のために設けられている。
【００２０】
捩りスプリング１２は、ドアの閉扉の最終段階において、自発的且つ正確な閉扉のために、ドアに対して復元力を生じさせる。
【００２１】
捩りスプリング１２は、ヒンジアーム６に設けられたピン、具体的には第四ピン１１の周りに巻かれており、ヒンジアーム６に隣接する第一スプリングアーム１３と、第一イコライザー２に設けられた制御カム１５に隣接する第二スプリングアーム１４を有する。
【００２２】
本発明の有利な局面によれば、ヒンジ１は、制御カム１５と第二スプリングアーム１４との間に接触面１６を有し、この接触面１６は、ヒンジ１の回動中に、制御カム１５の輪郭、および、第二スプリングアーム１４の輪郭に沿って移動する。
【００２３】
より正確には、接触面１６は、ヒンジ１の回動中に、制御カム１５の輪郭１７と、第二捩りスプリング１２に設けられたスプリングアーム１４の輪郭における直線部２０に沿って摺動する。
【００２４】
制御カム１５は、第二ピン９から離隔した位置にある曲率中心１８を持つ曲線状の輪郭１７を有する。
【００２５】
好ましくは、制御カム１５の輪郭１７は、一定の曲率半径１９を有し、且つ、第二ピン９から離隔した位置にある曲率中心１８を有する円弧である。制御カム１５の輪郭１７の凹部は、第二ピン９に対向している。
【００２６】
制御カム１５は、第二ピン９に枢支された第一イコライザー２の端部近辺に配置され、図３に示すように、第一イコライザー２に一体的に設けられている。または、制御カム１５は、図４に示すように、第一イコライザー２に連結される独立した部材として構成されてもよい。
【００２７】
図５および図６を参照して、本発明に係るヒンジ１と、図３に示す第一イコライザー２を図１に示す公知の第一イコライザーに置き換えたヒンジとを比較するために、いくつかのパラメータが、検証されている。
【００２８】
図５に示されているのは、図１に示す第一イコライザーに設けられた制御カム２２の頂部２１のみである。この頂部２１は、その頂点が第二スプリングアーム１４と接触しつつ摺動する。
【００２９】
制御カム２２における頂部２１の頂点２３が、捩りスプリング１２に設けられた第二スプリングアーム１４上を辿る摺動軌道と、捩りスプリング１２の第二スプリングアーム１４に対する制御カム１５の摺動軌道との比較について、以下に説明する。なお、理解の容易のために、図２においては、接触面１６が、点２４として表されている。
【００３０】
図５において、２Ａは、ヒンジ１が最大に開扉した状態の配置における第一イコライザー２を示す。２Ｂは、ヒンジ１が閉扉した状態の配置における第一イコライザー２を示す。２Ｃは、ヒンジ１が中間点に位置する配置における第一イコライザー２を示しており、点２３および点２４の位置は、整列している。２Ｄは、ヒンジ１がＢおよびＣの配置の間に位置する配置における第一イコライザー２を示す。
【００３１】
図５において、２３Ａ、２３Ｂ、２３Ｃ、および２３Ｄは、配置Ａ，Ｂ，Ｃ，およびＤにおける点２３の位置をそれぞれ例示的に示す。２４Ａ、２４Ｂ、２４Ｃ、および２４Ｄは、配置Ａ，Ｂ，Ｃ，およびＤにおける点２４の位置をそれぞれ示す。
【００３２】
図５において、Ｆ１は、ヒンジを閉じるように制御カム１５によって作動された、閉扉状態における第二スプリングアーム１４の傾き具合を示す。Ｆ２は、ヒンジを閉じるように制御カム２２によって作動された、閉扉状態における第二スプリングアーム１４の傾き具合を示す。Ｆ３は、制御カム２２によってヒンジを最大に開いた状態へ作動された、開扉状態における第二スプリングアーム１４の傾き具合を示す。制御カム１５によって作動され、ヒンジが開いた状態の第二スプリングアーム１４の開扉の傾き具合は、図には示されていないが、以下に述べるように、ほぼ無くなる。
【００３３】
図５において、点２３Ｃと点２４Ｃとが一致している参照配置Ｃから、ヒンジが開扉するように回動すると、接触点２３が、点２４の前方移動を超えて、捩りスプリング１２に設けられた第二スプリングアーム１４の端部に向けて移動する。それとは逆に、点２３Ｃと点２４Ｃとが一致している参照配置Ｃから、ヒンジが閉扉するように回動すると、接触点２３が、点２４の分岐する移動を超えて、捩りスプリング１２に設けられた第二スプリングアーム１４の端部から離れるように移動する。
【００３４】
特に、開扉配置Ａにおいては、到達した接触点２３Ａは、接触点２４Ａに対して、捩りスプリング１２に設けられた第二スプリングアーム１４の端部により近い位置となる。これにより、制御カム１５によって作動された第二スプリングアーム１４の開扉状態における傾き具合がほとんど無いのに対して、制御カム２２によって作動された第二スプリングアーム１４には、開扉状態における傾き具合Ｆ３を与えて応力がより緩和される。
【００３５】
同様に、配置Ｄにおいては、到達した接触点２３Ｄは、接触点２４Ｄに対して、捩りスプリング１２に設けられた第二スプリングアーム１４の端部からより離隔した位置となる。より強調された形態として、閉扉状態の配置Ｂにおいては、到達した接触点２３Ｂは、接触点２４Ｂに対して、捩りスプリング１２に設けられた第二スプリングアーム１４の端部からより離隔した位置となる。これにより、制御カム２２によって作動された第二スプリングアーム１４の閉扉状態における傾き具合は、制御カム１５によって作動された第二スプリングアーム１４の閉扉状態における傾き具合よりも、認識できる程に大きくなる。
【００３６】
上記した説明は、以下の事実より導き出される。すなわち、接触点２３は、第二ピン９の中心軸３１を中心とする一定の曲率半径を有する円弧３０の円周に沿って移動する一方で、接触点２４は、第二ピン９の中心軸３１に対して順次回転する中心１８を基準とした一定の曲率半径を有する円弧の輪郭１７の円周に沿って、より限られた移動をする。
【００３７】
図６中の一点鎖線は、制御カム２２を有する第一イコライザーを備えるヒンジに関して、開扉角度βに依存するヒンジの開扉力Ｆを示している。この一点鎖線は、少なくとも開扉の最初の段階において開扉力が強く維持されていることを示し、且つ、小さな開扉角度において最大の開扉力が適用されていることを示している。
【００３８】
図６中の実線は、制御カム１５を有する第一イコライザーを備えるヒンジに関して、開扉角度βに依存するヒンジの開扉力Ｆを示している。この一点鎖線は、前述の事例に対して、少なくとも開扉の最初の段階において開扉力がより小さく維持されていることを示し、より広範な開扉角度においてより小さい最大開扉力が適用されていることを示している。
【００３９】
制御カム１５を有する第一イコライザーの回転軸からスプリングの力の動作線までの距離に相当するアームの下方側の幅ｂが、対応するアームの幅、制御カム２２を有する第一イコライザーの対応するアームの幅に対して、より小さくなるのとともに、スプリングの傾き具合が、より小さな幅となる。これにより、より一定の推力をもたらすことができる。さらに、制御カム２２は、鋭いエッジを介してスプリング１２の第二スプリングアーム１４と点接触し、制御カム１５は、面においてスプリング１２の第二スプリングアーム１４と広く接触している。
【００４０】
上記より、公知技術によるイコライザーを有するヒンジの開扉、およびそれに続く閉扉の周期の間に生じる機械疲労に対して、より小さな傾き具合の機械疲労に晒される制御カム１５によって作動されたスプリング１４の長寿命化が、必然的にもたらされることとなる。
【００４１】
本発明に係るヒンジの使用に関連した他の利点は、ヒンジが、機械または粘性効果またはこれらの結合による減速用の統合された装置を備える場合においても明らかである。
【００４２】
このような場合においては、ヒンジは、ドアの閉扉動作時に、減速装置が既に作動している一方で、捩りスプリングが十分な閉扉力を負荷していない膠着状態の発生を避けるように、減速装置の作動に対応する角度が、捩りスプリング１４の作動角度に再構成されることを確証する。
【００４３】
ドアの開扉時においては、ヒンジは、逆に、捩りスプリングと減速装置の抵抗動作の蓄積による妨害を防ぐ。
【００４４】
この装置は、本発明の概念の範囲内において様々な修正および変形することが考えられる。さらに、全ての詳細な部分は、技術的に同様な要素によって置換することができる。
【００４５】
実用上は、用いられる材料は、単位と同様に、要求や技術状況に応じて変化してもよい。
【符号の説明】
【００４６】
１  家具用ヒンジ、２，３  イコライザー、４  ボックス状部材、５  ドア、６  ヒンジアーム、７  固定要素、８，９，１０，１１  ピン、１２  スプリング、１３，１４  スプリングアーム、１５，２２  制御カム、１６  面、１７  輪郭、１８  曲率中心、１９  曲率半径、２０  直線部、２１頂部、２３，２４  点、３０  円弧、３１  中心軸。
【図１】
2011514459.tif 000003
【図２】
2011514459.tif 000004
【図３】
2011514459.tif 000005
【図４】
2011514459.tif 000006
【図５】
2011514459.tif 000007
【図６】
2011514459.tif 000008
【手続補正書】
【提出日】平成23年2月23日(2011.2.23)
【手続補正１】
【補正対象書類名】特許請求の範囲
【補正対象項目名】全文
【補正方法】変更
【補正の内容】
【特許請求の範囲】
【請求項１】
家具のドアに固定するように適応されたボックス状部材と、前記家具の固定要素に直接
的または間接的に固定するように適応されたヒンジアームとを、互いに協働して連結する
第一イコライザーおよび第二イコライザーを備え、
前記第一イコライザーは、第一ピンを介して前記ボックス状部材に枢支され、且つ、前
記第一ピンと平行な第二ピンを介して前記ヒンジアームに枢支されており、
前記第二イコライザーは、前記第一ピンと平行な第三ピンを介して前記ボックス状部材
に枢支され、且つ、前記第一ピンと平行な第四ピンを介して前記ヒンジアームに枢支され
ており、
ヒンジが回動する間における前記ドアの復帰のために、スプリングがさらに設けられ、
前記スプリングは、前記ヒンジアームに設けられたピンの周りに巻かれており、前記ヒ
ンジアームに隣接する第一スプリングアームと、
前記第一イコライザーに設けられた制御カムに隣接する第二スプリングアームと、を有
する家具用ヒンジであって、
前記制御カムと前記第二スプリングアームとの間に接触面を有し、当該接触面が、前記
ヒンジの回動の間に、前記制御カムの輪郭、および、前記第二スプリングアームの輪郭に
沿って移動し、
前記制御カムは、前記第二ピンから離隔した位置に配置された曲率中心を持つ曲線状の
輪郭を有し、
前記曲線状の輪郭は、円弧であり、前記接触面と前記第一イコライザーの往復動の中心
との間の距離より小さい一定の曲率半径を有することを特徴とする、家具用ヒンジ。
【請求項２】
前記接触面は、前記制御カムの輪郭と、前記第二スプリングアームの輪郭の直線部分と
の間に形成されることを特徴とする、請求項１に記載の家具用ヒンジ。
【請求項３】
前記制御カムは、前記第二ピンに枢支された前記第一イコライザーの端部近辺に配置さ
れることを特徴とする、請求項１または２に記載の家具用ヒンジ。
【請求項４】
前記制御カムは、前記第一イコライザーに一体的に設けられていることを特徴とする、
請求項１〜３のいずれかに記載の家具用ヒンジ。
【請求項５】
前記制御カムは、前記第一イコライザーに連結される独立した部材として構成されるこ
とを特徴とする、請求項１〜３のいずれかに記載の家具用ヒンジ。
【請求項６】
減速のための装置をさらに備える、請求項１〜５のいずれかに記載の家具用ヒンジ。
【請求項７】
前記第二スプリングアームは、開扉状態において傾きをほとんど持たず、且つ、閉扉状
態において最小限の傾きを持つことを特徴とする、請求項１〜６のいずれかに記載の家具
用ヒンジ。 
【国際調査報告】
2011514459.tif 000009
2011514459.tif 000010